(57)【要約】【課題】熱硬化性樹脂を吸収可能とした繊維基材を外覆する気密性を有するチューブに穿孔することなく、樹脂吸収材の内部から真空吸引することで安全性の高い管更生用積層チューブを簡易に製造することができる管更生用積層チューブの製造方法を提供すること。【解決手段】熱硬化性樹脂を吸収可能とした繊維基材１を気密性を有するフイルムチューブ２内に挿入し、かつ繊維基材１内に拡張金型３を挿入した後、拡張金型３を拡張して繊維基材１をフイルムチューブ２内に添わせ、かつ拡張金型３内より真空吸引することによりフイルムチューブ２と繊維基材１とを密着させつつ、これを加熱することによりフイルムチューブ２を融解させてフイルムチューブ２と繊維基材１とを積層一体化するようにする。【選択図】図１
2009083210.tif 000002
【特許請求の範囲】
【請求項１】
熱硬化性樹脂を吸収可能とした繊維基材を気密性を有するフイルムチューブ内に挿入し、かつ該繊維基材内に拡張金型を挿入した後、該拡張金型を拡張して繊維基材をフイルムチューブ内に添わせ、かつ拡張金型内より真空吸引することによりフイルムチューブと繊維基材とを密着させつつ、これを加熱することによりフイルムチューブを融解させてフイルムチューブと繊維基材とを積層一体化するようにしたことを特徴とする管更生用積層チューブの製造方法。
【請求項２】
フイルムチューブを融解させることで繊維基材と積層一体化した管更生用積層チューブの内側に内チューブを挿入し、積層チューブと内チューブ間内に熱硬化性樹脂を浸漬させるようにしたことを特徴とする請求項１記載の管更生用積層チューブの製造方法。
【請求項３】
繊維基材を、筒状の合成樹脂製不織布としたことを特徴とする請求項１又は２記載の管更生用積層チューブの製造方法。
【請求項４】
繊維基材を、ポリエステル不織布としたことを特徴とする請求項１、２又は３記載の管更生用積層チューブの製造方法。
【発明の詳細な説明】
【技術分野】
【０００１】
本発明は、管更生用積層チューブの製造方法に関し、特に、熱硬化性樹脂を吸収可能とした繊維基材を外覆する気密性を有するチューブに穿孔することなく、樹脂吸収材の内部から真空吸引することで安全性の高い管更生用積層チューブを簡易に製造するようにした管更生用積層チューブの製造方法に関するものである。
【背景技術】
【０００２】
従来、下水道管、ガス管、その他の工業用管は地中に埋設して使用しているが、老朽化すると管路に亀裂、破損が生じて管路内を流下する流体が漏洩することがある。特に漏洩流体が発火性の流体の場合は危険が伴うものとなる。このため、地中に埋設した管路を掘削して新しい管路と交換することなく、安全に継続使用できるよう、老朽化した或いは老朽化しつつある管路内周面にライニングを施して補修、補強するようにしている。
【０００３】
この管路内周面の管ライニング材としては、例えば、特許文献１に開示されたものが提案されている。
この管ライニング材は、気密性を有するプラスチックチューブの内側に管状の樹脂吸収材を通し、樹脂吸収材の内側に気密性を有する加圧用チューブを挿入し、加圧用チューブを流体圧によって膨出させて樹脂吸収材を円管状押し広げるとともに、プラスチックチューブの一部を穿孔するようにして減圧用ホースを挿入し、減圧用ホースを介して樹脂吸収材を真空引きして樹脂吸収材にプラスチックチューブを密着させて製造するようにしている。
【０００４】
この管ライニング材の製造工程において、樹脂吸収材の真空吸引時に樹脂吸収材を外覆する気密性を有するプラスチックチューブの一部に穿孔する必要があるため、管ライニング材の融着後に真空吸引用孔を確実に閉塞する必要があり、この孔の閉塞に手間がかかるという問題があった。
また、この孔の閉塞が不十分であると熱硬化する樹脂が漏出して樹脂の硬化不良が発生するという問題があった。
【特許文献１】特公平７−４５１８２号公報
【発明の開示】
【発明が解決しようとする課題】
【０００５】
本発明は、管更生用積層チューブの製造方法の有する問題点に鑑み、熱硬化性樹脂を吸収可能とした繊維基材を外覆する気密性を有するチューブに穿孔することなく、樹脂吸収材の内部から真空吸引することで安全性の高い管更生用積層チューブを簡易に製造することができる管更生用積層チューブの製造方法を提供することを目的とする。
【課題を解決するための手段】
【０００６】
上記目的を達成するため、本発明の管更生用積層チューブの製造方法は、熱硬化性樹脂を吸収可能とした繊維基材を気密性を有するフイルムチューブ内に挿入し、かつ該繊維基材内に拡張金型を挿入した後、該拡張金型を拡張して繊維基材をフイルムチューブ内面に添わせ、かつ拡張金型内より真空吸引することによりフイルムチューブと繊維基材とを密着させつつ、これを加熱することによりフイルムチューブを融解させてフイルムチューブと繊維基材とを積層一体化するようにしたことを特徴とする。
【０００７】
この場合において、フイルムチューブを融解させることで繊維基材と積層一体化した積層チューブの内側に内チューブを挿入し、積層チューブと内チューブ間内に熱硬化性樹脂を浸漬させることができる。
【０００８】
また、繊維基材を、筒状の合成樹脂製不織布とすることができる。
【０００９】
また、繊維基材を、ポリエステル不織布とすることができる。
【発明の効果】
【００１０】
本発明の管更生用積層チューブの製造方法によれば、熱硬化性樹脂を吸収可能とした繊維基材を気密性を有するフイルムチューブ内に挿入し、かつ該繊維基材内に拡張金型を挿入した後、該拡張金型を拡張して繊維基材をフイルムチューブ内に添わせ、かつ拡張金型内より真空吸引することによりフイルムチューブと繊維基材とを密着させつつ、これを加熱することによりフイルムチューブを融解させてフイルムチューブと繊維基材とを積層一体化するようにすることにより、外覆用のフイルムチューブに穿孔することなく内部から真空吸引することができるので、従来のように穿孔を閉塞する手間を要することなく、かつ熱硬化性樹脂の漏洩も完全に防止でき、安全な管更生用積層チューブを確実に、簡易に製造することができる。
【００１１】
また、フイルムチューブを融解させることで繊維基材と積層一体化した積層チューブの内側に内チューブを挿入し、積層チューブと内チューブ間内に熱硬化性樹脂を浸漬させるようにすることにより、管路内に挿入して加熱する際、熱硬化性樹脂を漏洩させることなく、確実に管路の補修、補強を行うことができる。
【００１２】
また、繊維基材を、筒状の合成樹脂製不織布とすることにより、積層チューブの有効厚さを任意に設定することができる。
【００１３】
また、繊維基材を、ポリエステル不織布とすることにより、材質の安定した繊維基材を安価に提供することができる。
【発明を実施するための最良の形態】
【００１４】
以下、本発明の管更生用積層チューブの製造方法の実施の形態を、図面に基づいて説明する。
【実施例１】
【００１５】
図１〜図５に、本発明の管更生用積層チューブの製造方法の一実施例を示す。
この管更生用積層チューブの製造方法は、熱硬化性樹脂を吸収可能とした繊維基材１をフイルムチューブ２内に挿入し、さらに繊維基材内に拡張金型３を挿入した後、拡張金型３を拡張して繊維基材１をフイルムチューブ２内に添わせ、かつ拡張金型３内より真空吸引することによりフイルムチューブ２と繊維基材１とを密着させつつ、これを加熱することによりフイルムチューブ２を融解させてフイルムチューブ２と繊維基材１とを積層一体化して積層チューブ４を形成し、さらに積層チューブ４の内側に内チューブ５を挿入し、積層チューブ４と内チューブ５間内に熱硬化性樹脂６を浸漬させて製造するようにする。
なお、本実施例においては、図１に示すように、フイルムチューブ２の右端部は、フイルムチューブ２を絞り、繊維基材１及び拡張金型３をフイルムチューブ２内に挿入した後、左端部を絞ることにより、拡張金型３内より真空吸引することを可能としている。
【００１６】
この繊維基材１としては、合成樹脂製不織布、例えば、ポリエステル製のフェルトや不織布（ニードルパンチ品を含む）を採用することができ、さらには、合成樹脂製不織布に適宜短繊維や長繊維のガラス繊維を含ませたものを採用することもできる。ガラス繊維を含ませたものは、更生材料の剛性を向上させることができる点で好ましい。
なお、本実施例においては、フイルムチューブ２に直径１５０ｍｍ程度のものを用いるとともに、繊維基材１はフイルムチューブ２とほぼ同じ外径のものを用い、拡張金型３を拡張して繊維基材１と共にフイルムチューブ２を若干伸ばすことにより、繊維基材１をフイルムチューブ２内に添わせ、その後、フイルムチューブ２と繊維基材１とを積層一体化するようにしている。
繊維基材１には、製造する管更生用積層チューブの外径に対応した径の予め筒形のものを採用する。繊維基材１の内径は、特に限定されるものではなく、管路の補修、補強に適した径を有するものとする。
筒形の繊維基材１は、始めから筒形でなくとも、例えば、平板材を筒状に巻いて形成したものとすることもできる。
また、この繊維基材１は、管更生用積層チューブとして採用するに際して、相応しい量の熱硬化性樹脂を容易に吸収できるように、特に限定されるものではないが、例えば、厚み２〜３ｍｍ程度、目付量５００ｇ／ｍ２程度のものを採用することが好ましい。
【００１７】
この繊維基材１の外側に被せるフイルムチューブ２としては、内側より真空吸引する際、気密性を保つことができるよう気密性を有するもの、さらには加熱により融解可能な材質、これは特に限定されるものではないが、例えば、ポリエチレンフイルム、ポリエチレンとポリアミドの積層フイルム等を採用することができる。
なお、この気密性を有するフイルムチューブ２の径と長さは、繊維基材１に適用するようにして設定するもので、例えば、筒状の繊維基材１の外側に簡易に被せることができるよう、繊維基材１の外径より少し大径となるようにし、かつ繊維基材１の長さと等しいか或いはこれより長いものとし、これにより、繊維基材１の外側面を完全に覆うことができ、内部からの真空吸引を可能とするようにする。
【００１８】
また、繊維基材１の内側に挿入し、繊維基材１を放射方向に拡張させるようにした拡張金型３は、金属製或いは合成樹脂製とし、かつ真空吸引時においても少なくとも妄りに変形しない程度の強度を有するように構成する。
この拡張金型３は、特に限定されるものではないが、例えば、図３に示すように、金属或いは合成樹脂の板材３１を、その端部が互いに重なるようして、かつ筒状の繊維基材１の内側に簡易に挿入できる円形状に巻いたものとすることができる。この場合、拡張金型３の内側から繊維基材１を保形しつつ真空吸引できるよう、金属或いは合成樹脂の板材３１に吸引用の孔３２を穿設する。
この拡張金型３の板材３１に形成する吸引用の孔３２の径とその穿設数は、特に限定されるものではないが、真空吸引時、板材３１が所要の円形状と径を保ち、かつ繊維基材１の全周面から均一に真空吸引できるようにして設定する。
また、この拡張金型３の全長を、繊維基材の全長と等しくすることもできるが、フイルムチューブ２の長さが１０ｍ〜１５ｍ長の場合、５ｍとしてこれを複数本をつなぎ合わせ使用することもできるし、５ｍずつ処理し、順次ずらして処理をしていくこともできる。この場合、拡張金型３内より真空吸引することを可能にするために、拡張金型３の端部で気密性を有するフイルムチューブ２を絞るようにする。
【００１９】
この拡張金型３を拡張する機構は、板材端部が互いに重なる位置において、両端部間に拡張手段３３を掛け渡すように配設し、拡張手段３３を駆動することで板材端部間を互いに突っ張り合うことで拡張金型を拡張、すなわち、拡径し、反対に板材端部間を互いに引き合うことで拡張金型を縮径するように構成する。
この拡張手段３３としては、特に限定されるものではなく、ねじ杆式、シリンダー式とすることができる。例えば、図３（Ｃ）に示すように、板材端部にそれぞれ拡張用凸起を突設し、この両拡張用凸起間にねじ杆３４をそれぞれ螺合するように掛け渡し、ねじ杆３４に固定した歯車３４ａとロッド３４ｃに固定した歯車３４ｂとをターンバックル状に螺合し、ロッド３４ｃの回動にて拡張金型３の拡張或いは縮径を行うように構成する。
また、図３（Ｄ）に示すように、板材３１の端部に固定した拡張用凸起間に拡張手段３３としてのシリンダー３５を掛け渡し、シリンダー３５の駆動にて拡張金型の拡張或いは縮径を行うようにすることができる。
【００２０】
また、拡張金型３は、傘骨形状に形成することもできる。これは、図４（Ａ）に示すように、複数枚の細長い円弧形をした板材３６をその端部が互いに重なるようにして円形に配設し、かつ各円弧形板材に拡張用ロッド３７を内側に突設し、各拡張用ロッド３７の先端を拡張金型の中心長手方向に配設する挿通ロッド３８と係着して形成する。そして、この挿通ロッド３８を出し入れ或いは回動させることにより各拡張用ロッド３７を介して各円弧形板材を揺動させ、拡張金型３の拡張或いは縮径を行うようにする。
【００２１】
また、拡張金型３を複数本の細いロッド３９ａを、図５（Ａ）に示すように、破線管状に、またこの中心に進退式ロッド３９ｂをそれぞれ配置し、各ロッド３９ａの内側にテーパ状の拡張用カム３９ｃを突設するとともに、この各拡張用カム３９ｃと対向するようにして進退式ロッド３９ｂに拡張用凸起３９ｄを突設して構成することもできる。これにより、図５（Ｂ）に示すように、進退式ロッド３９ｂを進退させることで拡張用凸起３９ｄ、拡張用カム３９ｃを介して各破線管状に配置したロッド３９ａを放射方向に押し出すようにして拡張金型３を拡張するようにする。
なお、本実施例において、拡張金型３の断面の外周形状は円形としたが、特にこれに限定されず、適宜の多角形等の任意の形状を選択することができる。
また、外周から加熱する場合のヒータの形状に対応する形で、拡張金型３の形状を選択することができる。これにより、均一で効率的な加熱を行うことができる。
【００２２】
次に、本発明の管更生用積層チューブの製造方法を図１〜図２に基づいて説明する。
拡張金型３を筒状の繊維基材１内に挿入する場合、図１に示すように、拡張金型３を繊維基材径よりも縮径した状態として挿入し、かつこの外側に被せるようにしてフイルムチューブ２を挿入する。そして、拡張金型３を拡張することで繊維基材１を拡張してフイルムチューブ２内にピッタリと添わるようにする。その後、拡張金型内をその端部より真空吸引すると、フイルムチューブ２と繊維基材１間に存在している空気が拡張金型３、すなわち、繊維基材１外へ吸引排出され、これにより、フイルムチューブ２は繊維基材１と密着するものとなる。
【００２３】
次に、この状態でフイルムチューブ２の外側或いは／又は拡張金型からフイルムチューブ２が融解する程度の温度（特に限定されるものではないが、例えば、１５０〜１６０℃）に加熱する。この加熱は、ヒータ、例えば、遠赤外線ヒータ等の加熱器により行うことも、或いは熱風により行うこともできる。
このように、拡張金型３を拡張して繊維基材１をフイルムチューブ２を密着させつつ加熱することにより、フイルムチューブ２が融解して繊維基材１と積層一体化される。
このフイルムチューブ２と繊維基材１とを積層一体化させた後、拡張金型を縮径させて繊維基材内より引き抜き、所要の積層チューブ４を製造する。
【００２４】
次に、この積層チューブ内部に気密性を有する内チューブ５を挿入するとともに、この積層チューブ４及び内チューブ５と積層チューブ４間内に熱硬化性樹脂６を浸漬させ、管更生用積層チューブとする。これを管路内に挿入、加熱して管路を補修、補強するようにする。
【００２５】
以上、本発明の管更生用積層チューブの製造方法について、実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の管更生用積層チューブの製造方法は、熱硬化性樹脂を吸収可能とした繊維基材を外覆する気密性を有するチューブに穿孔することなく、樹脂吸収材の内部から真空吸引することで安全性の高い管更生用積層チューブを簡易に製造するという特性を有していることから、地中に埋設した下水道管、ガス管、その他の工業用管の補修、補強の用途に好適に用いることができる
【図面の簡単な説明】
【００２７】
【図１】本発明の管更生用積層チューブの製造方法の製造工程の一実施例を示す説明図である。
【図２】本発明の管更生用積層チューブの製造方法によって製造された管更生用積層チューブを示し、（Ａ）は正面縦断面図、（Ｂ）は側面縦断面図である。
【図３】拡張金型を示し、（Ａ）は側面縦断面図、（Ｂ）は正面図、（Ｃ）はねじ杆式拡張手段の拡大説明図、（Ｄ）はシリンダー式拡張手段の拡大説明図である。
【図４】拡張金型の異なる実施例を示し、（Ａ）は側面縦断面図、（Ｂ）は正面縦断面図である。
【図５】拡張金型の異なる実施例を示し、（Ａ）は側面縦断面図、（Ｂ）は拡張動作の説明図である。
【符号の説明】
【００２８】
１  繊維基材
２  フイルムチューブ
３  拡張金型
４  積層チューブ
５  内チューブ
６  熱硬化性樹脂
【図１】
2009083210.tif 000003
【図２】
2009083210.tif 000004
【図３】
2009083210.tif 000005
【図４】
2009083210.tif 000006
【図５】
2009083210.tif 000007